(57)【要約】【課題】汎用品のレールを使用しながら、戸袋内のレールに対してトリガーピンを着脱自在に取付けできるようにした戸袋付き引戸における引込み装置用トリガーピンの取付け構造を提供する。【解決手段】トリガーピン６の取付け位置の近傍であってガイドレール４の天井面に、天井面側から順に小径部３０ａと大径部３０ｂとを有する係止ピン３０が設けられており、先端側に前記大径部３０ｂが挿通可能とされる挿通孔３２と、この挿通孔３２に連続して前記小径部３０ａが係止される係止孔３３とからなる支持用孔部３４が形成され、かつ前記支持孔部３４の隣接位置に下方側に突出するトリガーピン６が形成されたトリガーピン取付け用部材７が前記係止ピン３０を前記係止孔３３に係止させた状態で、前記戸袋３の外側においてトリガーピン取付け用部材７及びガイドレール４の天井面４Ａを共に貫通して螺入させたビス３２，３２によって固定されている。【選択図】図９
2018172881.tif 000002
【特許請求の範囲】
【請求項１】
戸袋内に収容された戸開位置と戸袋から引き出された戸閉位置との上部位置にガイドレールが設けられ、このガイドレールに沿って引戸がスライド可能に設けられた戸袋付き引戸であって、前記引戸の上部側に引込み装置が設けられ、少なくとも前記引込み装置が戸袋内のガイドレールの天井面に設けられたトリガーピンに係合することによって引戸を戸開位置まで引き込むようにした前記引込み装置用トリガーピンの取付け構造であって、
前記トリガーピンの取付け位置の近傍であってガイドレールの天井面に、天井面側から順に小径部と大径部とを有する係止ピンが設けられており、
前記ガイドレールの内幅以下の幅寸法とされ、前記トリガーピンの取付け位置近傍から戸袋の外側までの長さ寸法を有する細板状部材であって、先端側に前記大径部が挿通可能とされる挿通孔と、この挿通孔に連続して前記小径部が係止される係止孔とからなる支持用孔部が形成され、かつ前記支持孔部の隣接位置に下方側に突出するトリガーピンが形成されたトリガーピン取付け用部材が前記係止ピンを前記係止孔に係止させた状態で、前記戸袋の外側においてトリガーピン取付け用部材及びガイドレールの天井面を共に貫通して螺入させたビスによって固定されていることを特徴とする引込み装置用トリガーピンの取付け構造。
【請求項２】
前記ガイドレールの天井面に凹部が形成され、前記トリガーピン取付け用部材は前記凹部に嵌合した状態で収容されている請求項１記載の引込み装置用トリガーピンの取付け構造。
【請求項３】
前記引戸は、前記ガイドレールに沿って走行案内される吊り車型ランナ装置によって吊持された吊戸であり、前記引込み装置は前記吊り車型ランナ装置に一体的に設けられ、前記吊戸と共にガイドレール内を移動可能としてある請求項１，２いずれかに記載の引込み装置用トリガーピンの取付け構造。
【発明の詳細な説明】
【技術分野】
【０００１】
本発明は、戸袋内に設置されるレールへの引込み装置用トリガーピンの取付け構造に関する。
【背景技術】
【０００２】
従来より、引戸の上端部に固定された吊り車型ランナ装置が戸枠の鴨居に固設されたガイドレールに沿って走行案内される吊戸や、引戸の下端部に固定された戸車が戸車用レールに沿って走行案内される引戸などでは、戸開状態から所定の位置まで閉めると戸閉位置まで自動的に引込んで閉じたり、戸閉状態から所定の位置まで開けると戸開位置まで自動的に引き込んで開かせたりする引戸の引込み装置が種々提案されている。
【０００３】
例えば、下記特許文献１では、引戸の上端面に埋設状態で設置された引込み装置本体と、戸枠に固設された係合ピン（トリガーピンに相当）とからなり、前記引込み装置本体は、引戸開閉方向に沿って係合ピンの進入案内溝が設けられたケースと、該ケース内に引戸開閉方向に沿ってスライド可能に設けられたスライダーと、前記ケース内に前記スライダーに連結された状態で設けられたピストン式ダンパーと、一端が前記スライダーに係止され、他端が前記ケースに係止されたスプリング部材と、前記スライダーに揺動可能に設けられ、前記ケースに形成されたスライド案内溝に係合する係合突部を有し、かつ引戸開閉に伴って前記係合ピンと係脱する関係にある作動カムとから構成された引戸の引込み装置が開示されている。
【０００４】
前記引戸では、特にホテル、病院、住宅等において、開閉時に手を挟むことを回避したり、美観を向上させるために、引戸を戸袋内に収容するようにしたものが採用される場合がある。この戸袋付き引戸に対して前記引込み装置を適用しようとすると、戸袋内のレールにトリガーピンを設ける必要がある。
【０００５】
しかしながら、引戸が乱暴に開閉され大きな力がトリガーピンに掛かり続けたなどの理由により、経年後に前記トリガーピンに変形や破損が生じてしまい、トリガーピンを交換しようとした場合は、戸袋ごと壊す必要があった。
【０００６】
そこで、戸袋内のレールに設置されるトリガーピンを戸袋の外側から交換できるようにした提案が幾つか考えられている。例えば、下記特許文献２には、戸袋内に一部が配置されるレールと、引戸が吊り下げられると共に、前記レールを移動可能なクローザと、戸袋内に配置されるトリガとを備え、前記レールの所定位置まで移動した前記クローザが前記トリガと係合することによって、引戸を戸袋内に引き込む引戸クローザーセットであって、前記引戸クローザーセットはさらに、戸袋の外側において前記レールに取り付けられ、戸袋内に配置される前記トリガが一体に結合されるトリガ一体プレートを備え、前記レールには、前記トリガ一体プレートを前記レールに挿入でき、かつ抜き取ることができるように、前記トリガ一体プレートを案内する案内部が形成される引戸クローザーセットが開示されている。
【０００７】
また、下記特許文献３には、戸板に取り付けられたスライドアシスト装置が移動する移動空間を内側に有しており、戸袋の内外にまたがって配設されるレールと、前記スライドアシスト装置と係合する受け部を有しており、前記レールの内面であって前記戸袋の開口端部に対応する位置に後端が固定される受け部材と、前記レールの内面に取り付けられ、前記受け部材を前記レールに取り付けたときに、前記受け部材の先端が当接するブロック部材とを備える受け部材構造が開示されている。
【先行技術文献】
【特許文献】
【０００８】
【特許文献１】特開２００７−２７８０５７号公報
【特許文献２】特開２０１６−１７６３３１号公報
【特許文献３】特開２０１６−２９２４７号公報
【発明の概要】
【発明が解決しようとする課題】
【０００９】
確かに前記特許文献２、３に係るトリガーピンの取付け構造とすれば、使用開始後の任意の時期に、戸袋を破壊することなく、レールに取り付けたトリガーピンを交換できるようになる。しかしながら、これらの場合は、図１４に示されるように、レール５０の天井面に予め、トリガーピンを取付けた板状部材を嵌め込むための嵌入溝５１，５１を形成した特殊なレールを用いるものであり、レール自体が特注品となるためコスト高になるなどの問題があった。
【００１０】
そこで本発明の主たる課題は、戸袋付き引戸において、汎用品のレールを使用しながら、戸袋内のレールに対してトリガーピンを着脱自在に取付けできるようにすることにある。
【課題を解決するための手段】
【００１１】
上記課題を解決するために請求項１に係る本発明として、戸袋内に収容された戸開位置と戸袋から引き出された戸閉位置との上部位置にガイドレールが設けられ、このガイドレールに沿って引戸がスライド可能に設けられた戸袋付き引戸であって、前記引戸の上部側に引込み装置が設けられ、少なくとも前記引込み装置が戸袋内のガイドレールの天井面に設けられたトリガーピンに係合することによって引戸を戸開位置まで引き込むようにした前記引込み装置用トリガーピンの取付け構造であって、
前記トリガーピンの取付け位置の近傍であってガイドレールの天井面に、天井面側から順に小径部と大径部とを有する係止ピンが設けられており、
前記ガイドレールの内幅以下の幅寸法とされ、前記トリガーピンの取付け位置近傍から戸袋の外側までの長さ寸法を有する細板状部材であって、先端側に前記大径部が挿通可能とされる挿通孔と、この挿通孔に連続して前記小径部が係止される係止孔とからなる支持用孔部が形成され、かつ前記支持孔部の隣接位置に下方側に突出するトリガーピンが形成されたトリガーピン取付け用部材が前記係止ピンを前記係止孔に係止させた状態で、前記戸袋の外側においてトリガーピン取付け用部材及びガイドレールの天井面を共に貫通して螺入させたビスによって固定されていることを特徴とする引込み装置用トリガーピンの取付け構造が提供される。
【００１２】
上記請求項１記載の発明では、前記ガイドレールの内幅以下の幅寸法とされ、前記トリガーピンの取付け位置近傍から戸袋の外側までの長さ寸法を有する細板状部材であって、先端側に前記大径部が挿通可能とされる挿通孔と、この挿通孔に連続して前記小径部が係止される係止孔とからなる支持用孔部が形成され、かつ前記支持孔部の隣接位置に下方側に突出するトリガーピンが形成されたトリガーピン取付け用部材を用いるようにしている。そして、前記トリガーピン取付け用部材の基端側を持ち、先端側からガイドレールに挿入したならば、先端側に形成された挿通孔に前記係止ピンを通し、そこから部材長手方向に移動させて係止孔に係止ピンを係止させるようにする。そして、戸袋の外側において、トリガーピン取付け用部材及びガイドレールの天井面を共に貫通して螺入させたビスによって固定する。従って、前記ガイドレールとして汎用品を使用しながら、戸袋内のレールに対してトリガーピンを着脱自在に取付けでき、使用開始後の任意の時期に、戸袋を破壊することなく、レールに取り付けたトリガーピンを交換できるようになる。
【００１３】
請求項２に係る本発明として、前記ガイドレールの天井面に凹部が形成され、前記トリガーピン取付け用部材は前記凹部に嵌合した状態で収容されている請求項１記載の引込み装置用トリガーピンの取付け構造が提供される。
【００１４】
上記請求項２記載の発明では、ガイドレールの天井面に凹部を形成しておき、前記トリガーピン取付け用部材を前記凹部に嵌合した状態で収容さされるようにしたものである。従って、前記トリガーピン取付け用部材がガイドレールの内部空間を侵すことがなくなる。
【００１５】
請求項３に係る本発明として、前記引戸は、前記ガイドレールに沿って走行案内される吊り車型ランナ装置によって吊持された吊戸であり、前記引込み装置は前記吊り車型ランナ装置に一体的に設けられ、前記吊戸と共にガイドレール内を移動可能としてある請求項１，２いずれかに記載の引込み装置用トリガーピンの取付け構造が提供される。
【００１６】
上記請求項３記載の発明では、引戸の具体的形態例を示したものである。前記引戸はガイドレールに沿って走行案内される吊り車型ランナ装置によって吊持された吊戸とするものであり、この場合は前記引込み装置は前記吊り車型ランナ装置に一体的に設けられ、前記吊戸と共にガイドレール内を移動可能とすることが望ましい。
【発明の効果】
【００１７】
以上詳説のとおり本発明によれば、戸袋付き引戸において、汎用品のレールを使用しながら、戸袋内のレールに対してトリガーピンを着脱自在に取付けできるようになる。
【図面の簡単な説明】
【００１８】
【図１】戸袋付き引戸２を示す、(A)は正面図、(B)は横断面図(B-B線矢視図)である。
【図２】(A)は図１のII部拡大図でり、(B)はB-B線矢視図である。
【図３】戸車８及び引込み装置本体１０を示す半断面斜視図である。
【図４】戸車８及び引込み装置本体１０を示す縦断面図である。
【図５】引込み装置本体１０を示す斜視図である。
【図６】スライダー１５を示す、(A)は上面図、(B)は正面図、(C)は側面図である。
【図７】スライダー１５を示す斜視図である。
【図８】(A)、(B)はスライダー１５の組立要領を示す斜視図である。
【図９】ガイドレール４に対するトリガーピン６の取付け要領を示す斜視図である。
【図１０】ガイドレール４の係止ピン３０を示す拡大断面図である。
【図１１】トリガーピン取付け用部材７を示す斜視図である。
【図１２】トリガーピン取付け用部材７の係止ピン３０への取付状態を示す、(A)は要部拡大断面図、(B)は横断面図(B-B線矢視図)である。
【図１３】開操作時の引込み装置１の作動状態図(A)〜(C)である。
【図１４】特許文献２，３に係るガイドレール５０の断面図である。
【発明を実施するための形態】
【００１９】
以下、本発明の実施の形態について図面を参照しながら詳述する。
【００２０】
図１に示されるように、引戸２は、戸袋３内に収容された戸開位置と戸袋３から引き出された戸閉位置との区間の上部位置にガイドレール４が設けられ、このガイドレール４に沿って引戸２がスライド可能に設けられた戸袋付き引戸である。
【００２１】
前記引戸２の上部側には、戸先側及び戸尻側にそれぞれ引込み装置１Ａ，１Ｂが設けられ、前記引戸２の閉操作時には前記引込み装置１Ｂがガイドレール４の天井面に設けられたトリガーピン５に係合することによって引戸２が戸閉位置まで自動的に引き込まれるようになっているとともに、引戸２の開操作時には前記引込み装置１Ａがガイドレール４の天井面に設けられたトリガーピン６に係合することによって引戸２が戸開位置まで自動的に引き込まれるようになっている。
【００２２】
以下、具体的に詳述する。
〔引戸２の構造〕
前記引戸２は、引戸２の上端部に固定された吊り車型ランナ装置８が、戸枠の鴨居に固設されたガイドレール４に沿って走行案内される吊戸式とされたものである。具体的には、前記鴨居にはガイドレール４が配設されるとともに、引戸２の上端部に固定されている吊り車型ランナ装置８が前記ガイドレール４に沿って走行案内されることにより、引戸２が開閉自在となっている。
【００２３】
図１〜図３に示されるように、前記ガイドレール４内には、前記引戸２の戸元側の吊り車型ランナ装置８に一体的に設けられ、前記吊戸２と共にガイドレール４内を移動可能とした引込み装置本体１０と、前記ガイドレール４の天井面から内方側に突出させた状態で設けられたトリガーピン５，６とからなる引込み装置１Ａ、１Ｂが設けられている。また、前記吊り車型ランナ装置８と、前記引込み装置本体１０との間には、閉操作時に吊戸２が跳上がるのを防止するために跳上げ防止具２０が介在されている。
【００２４】
〔引込み装置〕
前記引込み装置１Ａ、１Ｂは対象構造であるため、代表的に戸尻側に配設された引込み装置１Ｂ及びトリガーピン６について詳述する。
【００２５】
＜引込み装置１Ｂ＞
先ず、前記引込み装置本体１０は、図３〜図５に示されるように、ケース１２内を引戸２の開閉方向に沿ってスライド可能に設けられるとともに、前記ケース１２に形成されたスライド案内溝１３に係合する基端側係合突部１４ａ及び先端側係合突部１４ｂを有し、且つ上端部が前記ケース１２から突出状態で設けられることにより前記トリガーピン６と係脱する関係にあるスライダー１５と、ピストン先端が前記スライダー１５に連結された状態で前記ケース１２内に設けられるピストン式ダンパー１６と、一端が前記スライダー１５に係止されるとともに他端が前記ケース１２に係止され、前記スライダー１５に引戸２の引込み方向の付勢力を与えるスプリング部材１７とから主に構成されている。
【００２６】
前記ケース１２は、同図４及び図５に示されるように、断面略方形状のケース本体１２Ａと、このケース本体１２Ａの引戸端部側に一体的に設けられ、前記跳上げ防止具２０に対して連結するための係止部１２Ｂとから構成されている。
【００２７】
前記ケース本体１２Ａの引戸中央側の略半分には、上下方向に区画する中間壁１２ａが設けられ、その上側が部材長手方向に沿って上側に開口する前記ピストン式ダンパー１６を収容するためのダンパー収容空間１２ｂとされ、下側が部材長手方向に沿って下側に開口する前記スプリング部材１７を収容するためのスプリング収容空間１２ｃとされている。前記スプリング収容空間１２ｃの引戸中央側端部には、前記スプリング部材１７の一端を係止するための係止溝１２ｅが設けられている。
【００２８】
またケース本体１２Ａの引戸端部側の略半分には、前記スライダー１５がスライド自在に備えられる、部材長手方向に沿って上側に開口するスライダー用空間１２ｄとされている。
【００２９】
前記スライダー用空間１２ｄの両側壁にはそれぞれ、前記スライド案内溝１３が形成されている。前記スライド案内溝１３は、引戸２の開閉方向に沿った直線状案内溝１３ａと、この直線状案内溝１３ａの引戸端部側に連続して下方向に屈曲する、図示例では下方向に垂下する壁面が形成される屈曲案内溝１３ｂとからなり、前記屈曲状案内溝１３ｂがスライダー１５の仮停止部Ｋを構成している。
【００３０】
前記ケース本体１２Ａの後部には、ローラ１２Ｃが設けられ、ローラ１２Ｃの回転によりガイドレール４を滑らかに走行できるようになっている。
【００３１】
一方、前記スライダー１５は、図６及び図７に示されるように、前記ピストン先端が連結されるピストン連結部１５ａと、その下側に延在し前記スプリング部材１７の一端が係止される係止溝１５ｄが形成されたスプリング係止部１５ｂと、前記ピストン連結部１５ａの上側に延在し上端部が前記ケース１２の上端から突出状態で設けられる基端側係合片１５ｃと、前記ピストン連結部１５ａの引戸端部側に延在するとともに、前記基端側係合片１５ｃと所定の離隔幅を設けて、上端部が前記ケース１２の上端から突出状態で設けられる先端側係合片１５ｅとから構成されている。前記基端側係合片１５ｃと先端側係合片１５ｅとは、これらの間に前記トリガーピン６が係合可能な程度の離隔幅が設けられている。
【００３２】
前記スライダー１５のピストン連結部１５ａには通孔１５ｆが形成され、この通孔１５ｆを貫くとともに、ピストン先端に設けられた通孔（図示せず）を貫く軸部材１８（図４及び図５参照）が設けられることにより、ピストン先端とスライダー１５とが連結されている。前記軸部材１８は、両端がスライダー１５の両側に突出した状態で設けられ、この突出した両端部が前記スライド案内溝１３に係合する基端側係合突部１４ａ、１４ａを形成している。
【００３３】
また、前記スライダー１５の先端側係合片１５ｅの中央部には、両側部に突出する先端側係合突部１４ｂ、１４ｂが設けられている。
【００３４】
前記先端側係合片１５ｅは、より詳細には、図８(A)に示されるように、スライダー１５の先端部から横向きレ字状に折り返された折返し部１５ｇと、さらにその先端から下方側に向けて延在する垂下片１５ｈと、この垂下片１５ｈの先端に水平方向に突出するとともに、スライダー本体に係合する水平係止片１５ｉとを有する。そして、没入側に押し込んで前記水平係止片１５ｉをスライダー本体に係合させて図８(B)の状態とする。従って、引戸２の開閉時にトリガーピン６が前記垂下片１５ｈに当接し力が加わったとしても、前記水平係止片１５ｉが抜止め防止材となって、前記垂下片１５ｈ及び折返し部１５ｇとが抜け出るように上方向側に変形するのを防止する。
【００３５】
前記先端側係合片１５ｅは弾性変形可能な樹脂材によって形成することが好ましい。このようにして形成された先端側係合片１５ｅは、上端部から下方向に押圧が加わると、スライダー先端の折り返し部の弾性変形によって上端部が下方向に移動可能となっている。この上下方向の弾性変形量は、スライダー１５を引込み装置本体１０に組み込んだ場合に前記トリガーピン６を乗り越えることができる程度であって、先端側係合片１５ｅの上端部がケース１２内に没入可能な程度とすることが好ましい。
【００３６】
＜トリガーピン６の取付構造＞
次に、前記トリガーピン６は、前記ガイドレール４の天井面から内方側に突出た凸部として形成されるものであるが、このトリガーピン６は戸袋３内に位置しており、任意の時期に、戸袋３を壊すことなく交換が可能なようにした取付け構造が採用されている。以下、図９〜図１２に基づいて詳述する。
【００３７】
図９に示されるように、ガイドレール４は部材長手方向に適宜の間隔で天井面４Ａに形成された通孔４ａに挿通して螺入されたビス３１，３１…によって鴨居に固定されている。
【００３８】
前記ガイドレール４のトリガーピン６の取付け位置の近傍であって、ガイドレール４の天井面４Ａには、係止ピン３０が設けられている。この係止ピン３０は、図１０に示されるように、天井面側から順に小径部３０ａと大径部３０ｂとを有するピン形状となっている。ガイドレール４に対する固定は、前記小径部３０ａの上部側に軸部３０ｃが形成されており、この軸部３０ｃをガイドレール４の天井面に形成したテーパー部を有する通孔４ｂに挿通したならば反対側からカシメて固定する。なお、前記小径部３０ａ、大径部３０ｂの断面形状は通常は円形とされるが、多角形状としてもよい。
【００３９】
前記トリガーピン６を取り付けるために、図９に示されるトリガーピン取付け用部材７が用いられる。トリガーピン取付け用部材７は、詳細には図１１に示されるように、前記ガイドレール４の内幅以下の幅寸法Ｂとされ、前記トリガーピン６の取付け位置近傍から戸袋３の外側までの長さ寸法Ｌを有する細板状部材とされる。先端側に、前記係止ピン３０の大径部３０ｂが挿通可能とされる挿通孔３２と、この挿通孔３２に部材長手方向に連続して前記小径部３０ａが係止される係止孔３３とからなる支持用孔部３４が形成されている。前記支持用孔部３４の平面形状は、円形部と、これの一端から細幅の溝が連続的に形成された略鍵穴形状となっている。図示例では、挿通孔３２の先端側に連続して係止孔３３が連続的に形成されているが、挿通孔３２の基端側に連続して係止孔３３が連続的に形成されていてもよい。
【００４０】
同図に示されるように、前記支持用孔部３４よりも若干基端側に隣接位置であって下方側に向かって突出するトリガーピン６が形成されている。前記トリガーピン６は、片面側に立方体形状のトリガーピン６を固定した板状体３５を取付ピン３６，３６を挿入しカシメることによって固定した構造となっている。
【００４１】
一方、トリガーピン取付け用部材７の基端側には、間隔を空けて２つのビス通孔３７，３８が形成されている。これら２つの通孔３７，３８の位置は、図９に示されるように、戸袋３よりも外側位置とされる。
【００４２】
前記トリガーピン取付け用部材７は、図９及び図１２に示されるように、前記係止ピン３０を前記係止孔３３に係止させた状態で、前記戸袋３の外側においてトリガーピン取付け用部材７及びガイドレール４の天井面４Ａを共に貫通して螺入させたビス３２，３２によって固定されている。
【００４３】
前記トリガーピン取付け用部材７を戸袋３内のガイドレール４に取り付けるには、前記トリガーピン取付け用部材７の基端側を手で持ち、先端側からガイドレール４に挿入したならば、先端側に形成された挿通孔３２に前記係止ピン３０を通し、そこから部材長手方向（図示例では手前側）に移動させて係止孔３３に係止ピン３０を係止させるようにする。そして、図９に示されるように、戸袋３の外側において、トリガーピン取付け用部材７及びガイドレール４の天井面４Ａを共に貫通して螺入させたビス３２，３２によって固定を図る。
【００４４】
引戸２の使用開始後に、前記トリガーピン６が変形したり損傷したため、交換したい場合は、前記ビス３２，３２を取り外したならば、トリガーピン取付け用部材７を若干奥側に移動させて、挿通孔３２位置に係止ピン３０を位置させた状態で、トリガーピン取付け用部材７を下方側に下げると、係止ピン３０との係合が解除されるため、そのままガイドレール４から引き出すようにすればよい。そして、トリガーピン６を固定した板状体３５を新規なものに交換するか、トリガーピン取付け用部材７全体を新規なものと交換したならば、前述した要領によってトリガーピン取付け用部材７をガイドレール４に対して固定するようにする。
【００４５】
なお、図１２(B)に示されるように、ガイドレール４の天井面４Ａには凹部４ｄが形成されており、前記トリガーピン取付け用部材７の幅寸法Ｂは前記凹部４ｄに嵌合し得る幅としておき、同図に示されるように、前記トリガーピン取付け用部材７は前記凹部４ｄに嵌合した状態で収容されるようにするのが望ましい。これによって、前記トリガーピン取付け用部材７がガイドレール４の内部空間を侵すことがなくなるとともに、前記凹部４ｄがガイド溝となってトリガーピン取付部材７をガイドレール４の長手方向に沿ってスライドさせ易くなる。
【００４６】
トリガーピン６を取り付けている前記取付ピン３６，３６が上面側に突出している場合は、図１２(A)に示されるように、前記取付ピン３６がガイドレール４の天井面４Ａに当たらないように前記取付けピン３６部位に通孔４ｃを形成するのが望ましい。
【００４７】
一方、戸袋３の外部に設置されるトリガーピン５については、図９に示されるように、トリガーピン５を一体的に備えた板状部材をビス３９，３９によってガイドレール４の天井面４Ａに固定された構造となっている。
【００４８】
〔引込み装置１の作動説明〕
（引戸２の開操作時）
図１３(A)に示されるように、引戸２が戸袋３から引き出された戸閉位置にある状態から引戸２を戸袋３内に収容させるように移動させる開操作を行うと、同図１３(B)に示されるように、仮停止状態とされたスライダー１５の基端側係合片１５ｃにトリガーピン６が衝突して、スライダー１５を揺動動作させ仮停止状態が解除される。これによりスライダー１５の基端側係合片１５ｃと先端側係合片１５ｅとの離隔部分にトリガーピン６が位置し、先端側係合片１５ｅとトリガーピン６とが係合した状態となる。その後、図１３(C)に示されるように、前記ピストン式ダンパー１６による制動力を受ながらスプリング部材１７の付勢力によって、引戸２が戸開位置まで引き込まれるようになる。
【００４９】
ここで、前記スライダー１５の基端側係合片１５ｃがトリガーピン６に衝突した際、その反動で吊戸２の上端側を支点として下端側が回転するように上方向に跳ね上がることがあるが、前記跳上げ防止具２０の本体２１の上面がガイドレール４の天井面に近接し、前記隙間調整部材２２の下面が吊戸２の上面に近接するように配置されているため、前記トリガーピン６に衝突した際、前記ガイドレール４と吊戸２との間に存在する前記跳上げ防止具２０により吊戸２の跳上がりが防止されるようになっている。
【００５０】
〔他の形態例〕
(1)上記形態例では、引戸２の上部側には、戸先側及び戸尻側にそれぞれ引込み装置１Ａ，１Ｂが設けられ、前記引戸２の閉操作時には前記引込み装置１Ｂがガイドレール４の天井面に設けられたトリガーピン５に係合することによって引戸２が戸閉位置まで自動的に引き込まれるようになっているとともに、引戸２の開操作時には前記引込み装置１Ａがガイドレール４の天井面に設けられたトリガーピン６に係合することによって引戸２が戸開位置まで自動的に引き込まれるようになっている引戸２について説明を行ったが、例えば、特開2016-176331号公報（特許文献２）に開示される引込み装置のように、１つの引込み装置によって開操作時の引込みと閉操作時の引込みとを行うようにした開閉兼用型の引込み装置が開発されている。このような開閉兼用型の引込み装置は、比較的幅の小さい引戸に用いられるものであるが、本発明は前記開閉兼用型の引込み装置を採用した戸袋付き引戸に対しても、まったく同様に適用することが可能である。
【符号の説明】
【００５１】
１Ａ・１Ｂ…引込み装置、２…引戸、３…戸袋、４…ガイドレール、５…トリガーピン(戸袋外側)、６…トリガーピン(戸袋内側)、７…トリガーピン取付け用部材、８…吊り車型ランナ装置、１０…引込み装置本体、１２…ケース、１３…スライド案内溝、１４ａ…基端側係合突部、１４ｂ…先端側係合突部、１５…スライダー、１６…ピストン式ダンパー、１７…スプリング部材、２０…跳上げ防止部材、３４…支持用孔部、３２…挿通孔、３３…係止孔
【図１】
2018172881.tif 000003
【図２】
2018172881.tif 000004
【図３】
2018172881.tif 000005
【図４】
2018172881.tif 000006
【図５】
2018172881.tif 000007
【図６】
2018172881.tif 000008
【図７】
2018172881.tif 000009
【図８】
2018172881.tif 000010
【図９】
2018172881.tif 000011
【図１０】
2018172881.tif 000012
【図１１】
2018172881.tif 000013
【図１２】
2018172881.tif 000014
【図１３】
2018172881.tif 000015
【図１４】
2018172881.tif 000016